(57)【要約】【課題】ユーザがより操作がしやすく使いやすい携帯端末装置を提供することを目的とする。【解決手段】通信部と、待受画面を表示可能な表示部と、表示部の周囲に配置された少なくとも１つの特定キーを有する操作部と、特定キーの操作と電話番号との対応関係と、電話番号を含むアドレス帳を記憶する記憶部と、記憶部に電話番号が対応付けて記憶されている特定キーが操作されたら、当該電話番号に発信可能な状態とし、かつ、特定キーに対応付けられた特定画像がある場合、表示部の前記特定キーに対応する位置に、当該特定画像を待受画面に重ねて表示させる制御部と、を有することで上記課題を解決する。【選択図】図１
2014195332.tif 000002
【特許請求の範囲】
【請求項１】
通信部と、
待受画面を表示可能な表示部と、
表示部の周囲に配置された少なくとも１つの特定キーを有する操作部と、
前記特定キーに対して、アドレス情報を対応付けて記憶する記憶部と、
前記特定キーが操作されると、当該特定キーに対応するアドレス情報を用いて発信可能な状態とする制御部と、を備え、
前記制御部は、前記特定キーに対応付けられたアドレス情報に対し、前記記憶部において画像が対応付けられて記憶されている場合には、前記待受画面における前記特定キーに対応する位置に、当該画像を特定画像として重ねて表示させることを特徴とする携帯端末装置。
【請求項２】
前記制御部は、前記特定キーに対応付けられたアドレス情報に対し、前記記憶部において画像が対応付けられて記憶されていない場合、当該アドレス情報の登録名を、前記待受画面における前記特定キーに対応する位置に重ねて表示させることを特徴とする請求項１に記載の携帯端末装置。
【請求項３】
前記制御部は、前記待受画面上に重ねて表示させる際の前記特定画像と同じサイズの表示領域内に前記登録名を表示させた画像を作成し、作成した画像を前記特定画像として前記待受画面に重ねて表示させることを特徴とする請求項２に記載の携帯端末装置。
【請求項４】
前記制御部は、前記アドレス情報に登録名がない場合、登録されていないことを示す画像を作成し、作成した画像を前記特定画像として前記待受画面に重ねて表示させることを特徴とする請求項２または３に記載の携帯端末装置。
【請求項５】
前記制御部は、前記特定キーに対応付けられた前記アドレス情報、及び前記画像の少なくとも１つが削除または変更されると、前記削除または変更された後に前記待受画面の表示処理を行うときに、前記待受画面に重ねて表示させる前記特定画像を更新することを特徴とする請求項１から４のいずれか１項に記載の携帯端末装置。
【請求項６】
前記制御部は、前記待受画面として、前記待受画面の表示処理時に登録された候補画像から少なくとも２つ以上の選択画像を選択し、当該複数の選択画像のそれぞれを前記待受画像上のそれぞれ異なる表示領域に表示させ、かつ、当該複数の選択画像のうち、前記特定画像と重なる領域に表示した選択画像については、次回の選択画像の選択時に異なる表示領域に表示させることを特徴とする請求項１から５のいずれか１項に記載の携帯端末装置。
【請求項７】
前記制御部は、前記待受画面と、当該待受画面に対して重畳して表示されるべき前記特定画像及び他の画像とを、それぞれ別階層の画像として作成し、前記表示部の表示領域内において、前記階層毎に表示位置を調整し、かつ、複数の階層の画像を重ねて、表示させることを特徴とする請求項１から６のいずれか１項に記載の携帯端末装置。
【請求項８】
前記操作部は、終話操作が対応付けられた終話キーを有し、
前記制御部は、前記待受画面の表示時に、終話キーが押下されると、表示させる前記階層を切り替えることを特徴とする請求項７に記載の携帯端末装置。
【請求項９】
前記制御部は、メール制御機能、通話制御機能をさらに備え、前記特定キーの操作に対応付けられたアドレス情報からの不在着信及び未確認メールの少なくとも一方が有る場合、前記特定画像の表示を異なる表示形態に切り替えることを特徴とする請求項１から８のいずれか１項に記載の携帯端末装置。
【請求項１０】
前記制御部は、前記特定画像の表示を前記異なる表示形態に切り替えている状態で、前記特定キーの押下を検出すると、前記不在着信及び未確認メールの少なくとも一方の確認画面に移行することを特徴とする請求項９に記載の携帯端末装置。
【発明の詳細な説明】
【技術分野】
【０００１】
本発明は、登録相手を対応付けた特定キーを有する携帯端末装置に関する。
【背景技術】
【０００２】
携帯電話機やＰＨＳ等の携帯端末装置には、操作部として、数字キーや、発信キーの他に、特殊な機能を備えたキーを有するものがある。例えば、特許文献１には、特殊キーとして、押下されたら、登録されている電話番号に発信を行うワンタッチダイヤルキーを設けた携帯電話装置が記載されている。
【先行技術文献】
【特許文献】
【０００３】
【特許文献１】特開２００１−１２７８６９号公報
【発明の概要】
【発明が解決しようとする課題】
【０００４】
特許文献１のように、ワンタッチダイヤルキー（ワンタッチキー）を押下するのみで特定の電話番号を発信できることで、操作者は、複雑な操作をすることなく、登録した相手に電話を掛けることができる。しかしながら、特許文献１に記載の装置では、ワンタッチキーに登録した電話番号が誰の電話番号であるかについて、覚えておくか、ワンタッチキーを押下して確認する必要がある。そのため、操作に慣れていないユーザにとって使いにくい。
【０００５】
本発明は、上記に鑑みてなされたものであって、ユーザがより操作がしやすく使いやすい携帯端末装置を提供することを目的とする。
【課題を解決するための手段】
【０００６】
上述した課題を解決し、目的を達成するために、本発明は、携帯端末装置であって、通信部と、待受画面を表示可能な表示部と、表示部の周囲に配置された少なくとも１つの特定キーを有する操作部と、前記特定キーに対して、アドレス情報を対応付けて記憶する記憶部と、前記特定キーが操作されると、当該特定キーに対応するアドレス情報を用いて発信可能な状態とする制御部と、を備え、前記制御部は、前記特定キーに対応付けられたアドレス情報に対し、前記記憶部において画像が対応付けられて記憶されている場合には、前記待受画面における前記特定キーに対応する位置に、当該画像を特定画像として重ねて表示させることを特徴とする。
【０００７】
ここで、前記制御部は、前記特定キーに対応付けられたアドレス情報に対し、前記記憶部において画像が対応付けられて記憶されていない場合、当該アドレス情報の登録名を、前記待受画面における前記特定キーに対応する位置に重ねて表示させることが好ましい。
【０００８】
また、前記制御部は、前記待受画面上に重ねて表示させる際の前記特定画像と同じサイズの表示領域内に前記登録名を表示させた画像を作成し、作成した画像を前記特定画像として前記待受画面に重ねて表示させることが好ましい。
【０００９】
また、前記制御部は、前記アドレス情報に登録名がない場合、登録されていないことを示す画像を作成し、作成した画像を前記特定画像として前記待受画面に重ねて表示させることが好ましい。
【００１０】
また、前記制御部は、前記特定キーに対応付けられた前記アドレス情報、及び前記画像の少なくとも１つが削除または変更されると、前記削除または変更された後に前記待受画面の表示処理を行うときに、前記待受画面に重ねて表示させる前記特定画像を更新することが好ましい。
【００１１】
また、前記制御部は、前記待受画面として、前記待受画面の表示処理時に登録された候補画像から少なくとも２つ以上の選択画像を選択し、当該複数の選択画像のそれぞれを前記待受画像上のそれぞれ異なる表示領域に表示させ、かつ、当該複数の選択画像のうち、前記特定画像と重なる領域に表示した選択画像については、次回の選択画像の選択時に異なる表示領域に表示させることが好ましい。
【００１２】
また、前記制御部は、前記待受画面と、当該待受画面に対して重畳して表示されるべき前記特定画像及び他の画像とを、それぞれ別階層の画像として作成し、前記表示部の表示領域内において、前記階層毎に表示位置を調整し、かつ、複数の階層の画像を重ねて、表示させることが好ましい。
【００１３】
また、前記操作部は、終話操作が対応付けられた終話キーを有し、前記制御部は、前記待受画面の表示時に、終話キーが押下されると、表示させる前記階層を切り替えることが好ましい。
【００１４】
また、前記制御部は、メール制御機能、通話制御機能をさらに備え、前記特定キーの操作に対応付けられたアドレス情報からの不在着信及び未確認メールの少なくとも一方が有る場合、前記特定画像の表示を異なる表示形態に切り替えることが好ましい。
【００１５】
また、前記制御部は、前記特定画像の表示を前記異なる表示形態に切り替えている状態で、前記特定キーの押下を検出すると、前記不在着信及び未確認メールの少なくとも一方の確認画面に移行することが好ましい。
【発明の効果】
【００１６】
本発明にかかる携帯端末装置は、ユーザがより操作しやすく、かつ使いやすくすることができるという効果を奏する。
【図面の簡単な説明】
【００１７】
【図１】図１は、本発明の携帯端末装置の一例の外観を示す正面図である。
【図２】図２は、図１に示す携帯端末装置の機能の概略構成を示すブロック図である。
【図３】図３は、携帯端末装置の表示部に表示される画面の一例を示す説明図である。
【図４】図４は、携帯端末装置の動作を説明するための画面遷移図である。
【図５−１】図５−１は、携帯端末装置の表示部に表示される画面の一例を示す説明図である。
【図５−２】図５−２は、携帯端末装置の表示部に表示される画面の一例を示す説明図である。
【図５−３】図５−３は、携帯端末装置の表示部に表示される画面の一例を示す説明図である。
【図６】図６は、表示部に表示させる画像の構成を示す説明図である。
【図７】図７は、携帯端末装置の動作を説明するための画面遷移図である。
【図８】図８は、携帯端末装置の表示部に表示される画面の一例を示す説明図である。
【図９】図９は、携帯端末装置の表示部に表示される画面の一例を示す説明図である。
【図１０】図１０は、携帯端末装置の動作を説明するための画面遷移図である。
【図１１】図１１は、携帯端末装置の動作を説明するための画面遷移図である。
【図１２】図１２は、携帯端末装置の表示部に表示される画面の一例を示す説明図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯端末装置として携帯電話機を例として説明するが、本発明の適用対象は携帯電話機に限定されるものではない。例えば、ＰＨＳ（Personal Handyphone System）、ＰＤＡ、ポータブルナビゲーション装置、ポータブルゲーム機等に対して本発明は適用できる。
【００１９】
図１は、本発明の携帯端末装置の一例の外観を示す正面図である。携帯端末装置１は、無線通信機能を備えた携帯電話機である。携帯端末装置１は、筐体１Ｃが第１筐体１ＣＡと第２筐体１ＣＢとで開閉可能に構成された、折り畳み式の携帯電話機である。
【００２０】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯端末装置１が開き、第１筐体１ＣＡと第２筐体１ＣＢとが互いに接近する方向に回動すると携帯端末装置１が閉じる。なお、図１は、携帯端末装置１を開いた状態である。
【００２１】
第１筐体１ＣＡには、表示部として、図１に示すメインディスプレイ２Ｍが設けられる。メインディスプレイ２Ｍは、所定の画像として、携帯端末装置１が受信を待機している状態のときに待受画面を表示したり、携帯端末装置１の操作を補助するために用いられるメニュー画面を表示したりする。また、図１に示すように、第１筐体１ＣＡには、メインディスプレイ２Ｍのヒンジ１８側に、３つの特定キー４が設けられている。この３つの特定キー４には、それぞれ、「１」、「２」、「３」の番号が付されている。また、第１筐体１ＣＡには、携帯端末装置１の通話時に音声を発するレシーバ６が設けられている。
【００２２】
次に、第２筐体１ＣＢには、通話相手の電話番号や、メール作成時等に文字を入力するための数字キー３ａが複数設けられ、また、メインディスプレイ２Ｍに表示されるメニューの選択、カーソルの移動方向を入力するための方向キー３ｂ、決定操作を入力するための決定キー３ｃ、各種アプリケーションの起動操作を入力するための機能キー３ｄが設けられている。なお、本実施形態では、方向キー３ｂの一部は、機能キー３ｄの機能も備えている。数字キー３ａ、方向キー３ｂ、決定キー３ｃ及び機能キー３ｄは、携帯端末装置１の操作部２８（図２参照）を構成する。また、第２筐体１ＣＢには、携帯端末装置１の通話時に音声を受け取るマイク５が設けられている。
【００２３】
次に、携帯端末装置１の機能と制御部との関係を説明する。図２は、図１に示す携帯端末装置の機能の概略構成を示すブロック図である。図２に示すように携帯端末装置１は、主制御部２２と、記憶部２４と、通信部２６と、操作部２８と、入力データ取得部２９と、音声処理部３０と、表示部３２と、表示制御部３３と、ブラウザ３６と、発光制御部３８と、を有する。
【００２４】
主制御部２２は、携帯端末装置１の全体的な動作を統括的に制御する処理部、例えばＣＰＵ（Central Processing Unit）である。すなわち、携帯端末装置１の各種の処理が、操作部２８の操作や携帯端末装置１の記憶部２４に保存されるソフトウェアに応じて適切な手順で実行されるように、通信部２６、表示部３２、ブラウザ３６、発光制御部３８等の動作を制御する。主制御部２２は、記憶部２４に保存されているプログラム（例えば、オペレーティングシステムプログラム、アプリケーションプログラム等）に基づいて処理を実行する。記憶部２４には、主制御部２２での処理に利用されるソフトウェアやデータが保存されている。具体的には、ソフトウェアとしては、待受画面、及び待受画面に重ねる画像を生成し、表示させるソフトウェアや、特定キー４に対応付ける操作を制御するソフトウェアや、着信履歴、発信履歴、メール受信履歴等を管理するソフトウェアが保存されている。また、データとしては、アドレス帳のデータ、待受画面に表示させる画像のデータ、画像データ、音声データ等が保存されている。
【００２５】
通信部２６は、基地局によって割り当てられるチャネルを介し、基地局との間でＣＤＭＡ方式などによる無線信号回線を確立し、基地局との間で電話通信及び情報通信を行う。
【００２６】
操作部２８は、上述したように、数字キー３ａ、方向キー３ｂ、決定キー３ｃ、及び、機能キー３ｄと、特定キー４とで構成され、これらのキーがユーザの操作により入力されると、その操作内容に対応する信号を発生させる。なお、機能キー３ｄは、例えば、メールキー、電話帳キー、カメラキー、Ｗｅｂキー、終話キー（切キー）など、各種アプリケーションの起動操作の入力が割り当てられたキーであり、押下されることで、当該キーに対応付けられた機能を起動させる。また、３つの特定キー４は、いわゆるワンタッチキーであり、それぞれアドレス帳に記憶されている登録者（アドレス）から特定の登録者（特定のアドレス情報）が対応付けられており、押下されることで、対応付けられた登録者に対して電話を掛けたり、メールを作成したりすることができる。なお、特定キー４の数は、特に限定されない。
【００２７】
操作部２８で発生した信号は、ユーザの指示として入力データ取得部２９へ入力される。入力データ取得部２９は、操作部２８から発生した信号と、入力の設定に基づいて、制御信号を生成し、生成した制御信号を主制御部２２に入力する。なお、本実施形態では、決定キー３ｃと機能キー３ｄの一部及び特定キー４に発光機構が配置されている。決定キー３ｃと機能キー３ｄと特定キー４とは、表面が半透明、または透明な材で形成され、内部に発光素子（ＬＥＤ等）が配置されている。
【００２８】
音声処理部３０は、マイク５に入力される音声信号やレシーバ６から出力される音声信号の処理を実行する。
【００２９】
表示部３２は、液晶ディスプレイ（ＬＣＤ、Liquid  Crystal  Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００３０】
ブラウザ３６は、主制御部２２による制御に基づいて、通信部２６を介してインターネット通信を行うことで、Ｗｅｂページを取得し、表示部３２に表示させる。
【００３１】
発光制御部３８は、操作部２８の一部の発光状態を制御する。具体的には、発光制御部３８は、決定キー３ｃ、機能キー３ｄ及び／または特定キー４の一部に対応して配置された発光機構の動作を制御する。これにより、発光制御部３８は、決定キー３ｃ、機能キー３ｄ及び／または特定キー４を発光させたり、消灯させたり、点滅させたりすることができる。このように、発光制御部３８で、キーの点灯状態を制御することで、次に押下すべきキーのガイドを行うことができる。なお、上記本実施形態では、主制御部２２と、発光制御部３８とを別々に記載したが、一体としてもよい。また、図示は省略したが、携帯端末装置１は、カメラも備えている。
【００３２】
次に、携帯端末装置１の動作、具体的には、主制御部２２、操作部２８、表示部３２における処理について説明する。ここで、図３は、携帯端末装置の表示部に表示される画面の一例を示す説明図である。
【００３３】
携帯端末装置１は、図３に示すように、表示部３２のメインディスプレイ２Ｍに待受画面５０を表示させる場合、待受画面５０にアイコン５２ａ、５２ｂ、５２ｃを重ねて表示させる。待受画面５０は、人物の画像と、時計の画像と、電池残量を示す画像、電波状態を示す画像とで構成される。なお、待受画面５０は、日本において壁紙ともいわれる画像である。また、待受画面５０は、発着信を待ち受ける状態で表示される画面であるだけでなく、アプリケーションの起動を待ち受ける状態でも表示される画面である。アイコン５２ａ、５２ｂ、５２ｃは、特定キー４に対応して登録されている画像である。また、アイコン５２ａ、５２ｂ、５２ｃは、それぞれ対応する特定キー４の番号（具体的には「１」「２」「３」）の画像も含まれている。
【００３４】
このように、携帯端末装置１は、待受画面５０の表示時に特定キー４に対応して登録した画像（アイコン５２ａ、５２ｂ、５２ｃ）を表示させることで、特定キー４のそれぞれと、それに対応した登録相手を簡単に認識することができる。例えば、表示部３２に表示させることで、各特定キー４に対応した登録相手を頻繁に変更しても、間違えることなく、所望の相手に電話をかけたり、メールを送ったりすることができる。
【００３５】
次に、図４を用いて、特定キー４に登録相手を登録する登録方法の一例について説明する。ここで、図４は、携帯端末装置の動作を説明するための画面遷移図である。なお、図４に示す例は、登録相手（ペア相手）が登録されていない特定キー４に対して、ペア相手として、アドレス帳の中の一件（一件分の登録データ）を対応付ける例である。ペア相手として、アドレス帳に登録されている相手を登録することにより、特定キー４に、相手の電話番号、メールアドレス及び名前等を対応付けることができる。
【００３６】
まず、携帯端末装置１は、ユーザにより特定キー４の１つに登録相手（ペア相手）を登録する処理を起動する操作が入力されたら、表示部３２に画面６０ａを表示させる。ここで、画面６０ａは、対応する特定キー４にペア相手が登録されていないことを通知する情報と、ペア相手を登録するかを選択させる操作画面とが表示されている。
【００３７】
携帯端末装置１は、登録を実行する操作、つまり画面６０ａのＹｅｓを選択する操作が入力されたら、アドレス帳の画面６０ｂを表示させる。その後、携帯端末装置１は、アドレス帳の中からペア相手が特定されたら、つまり、任意の一件のアドレス情報を決定する操作が入力されたら、ペア相手の画像を表示させるかを選択させる画面６０ｃを表示させる。なお、画面６０ｃは、待受画面に画像を表示させるか、名前（名前の画像）を表示させるか、画像を表示させないかのいずれかを選択させる画面である。
【００３８】
携帯端末装置１は、画面６０ｃを表示させている状態で、待受画面にペア相手の画像を表示させないことが選択されたら、ペア相手に画像を対応付けて記憶させずに、ペア相手の登録を終了し、画面６０ｄを表示させる。
【００３９】
次に、携帯端末装置１は、画面６０ｃを表示させている状態で、待受画面に表示させるペア相手の画像として名前を表示させることが選択されたら、表示させる画像にペア相手に登録された相手のアドレス情報に登録されている名前（登録名）を対応付けて記憶させる。その後、携帯端末装置１は、ペア相手の登録を終了し、画面６０ｄを表示させる。
【００４０】
次に、携帯端末装置１は、画面６０ｃを表示させている状態で、待受け画面にペア相手の画像として画像を表示させることが選択され、かつ、ペア相手に選択されたアドレス帳の一件のデータ（アドレス情報）に画像が含まれている場合は、画面６０ｅを表示させる。ここで、画面６０ｅは、画像としてアドレス情報に対応付けられた画像（アドレス帳画像）を選ぶか、その他の画像（画像を選ぶ）かを選択させる画面である。携帯端末装置１は、画面６０ｅを表示させている状態で、待受画面に表示させるペア相手の画像としてアドレス帳画像を表示させることが選択されたら、表示させる画像にアドレス帳画像を対応付けて記憶させる。その後、携帯端末装置１は、ペア相手の登録を終了し、画面６０ｄを表示させる。
【００４１】
携帯端末装置１は、画面６０ｅを表示させている状態で、待受画面に表示させるペア相手の画像としてその他の画像を表示させること（画像を選ぶ）が選択されたら、画像データをプレビュー表示させつつ、画像データを選択させる。また、携帯端末装置１は、画面６０ｃを表示させている状態で、待受け画面にペア相手の画像として画像を表示させることが選択され、かつ、ペア相手に選択されたアドレス帳の一件のデータに画像が含まれていない場合も、画像データをプレビュー表示させつつ、画像データを選択させる。なお、選択させる対象の画像データとしては、記憶部２４に記憶している種々の画像データを対象とすることができる。また、携帯端末装置１は、ペア相手の画像として選択された画像は、アドレス情報に対応つけられた画像として記憶部２４に記憶させる。
【００４２】
携帯端末装置１は、画像データをプレビュー表示させつつ、画像データを選択させ、画像データが決定されたら、決定された画像を、表示させる画像に対応付けて記憶させる。なお、この時、携帯端末装置１は、画像をプレビュー表示させている。その後、携帯端末装置１は、ペア相手の登録を終了し、画面６０ｆを表示させる。ここで、画面６０ｆは、対応付けた画像の上に、登録が完了した旨を知らせるメッセージが表示されている。
【００４３】
携帯端末装置１は、以上のようにして、ペア相手を登録し、その際に、画像を表示させることが選択されたら、ペア相手の登録後、待受画面５０を表示させる場合、登録が行われた特定キー４に対応するアイコンとして、アイコン５２ｃのように名前を表示させる。また、携帯端末装置１は、名前を表示させることが選択されたら、ペア相手の登録後、待受画面５０を表示させる場合、登録が行われた特定キー４に対応するアイコンとして、アイコン５２ｃのように名前を表示させる。さらに、携帯端末装置１は、画像を表示させないことが選択されたら、ペア相手の登録後、待受画面５０を表示させる場合、アイコン５２ａ、５２ｂ、５２ｃのうち、登録が行われた特定キーに対応するアイコンを表示しない。
【００４４】
なお、上記実施形態では、ペア相手が登録されていない特定キー４に、ペア相手を登録する場合を説明したが、これには限定されない。例えば、ペア相手を登録している状態で、対応付ける画像を変更してもよい。また、登録しているペア相手をアドレス帳に記憶されている別の相手（別の一件のアドレス情報）にすることもできる。いずれの場合も携帯端末装置１は、ペア相手に対応付けて画像を表示されることが決定されると、決定された画像をアイコンとして待受画面に重ねて表示させる。
【００４５】
ここで、上記実施形態では、特定キー４のそれぞれに対応して、画像または名前を表示させたが、これに限定されない。以下、図５−１から図５−３を用いて説明する。ここで、図５−１から図５−３は、それぞれ、携帯端末装置の表示部に表示される画面の一例を示す説明図である。携帯端末装置１は、アドレス帳にロックをかけている場合、また特定キー４に対応する相手にロックをかけている場合、図５−１に示すように、待受画面上に特定キー４に対応するアイコン５２ｄとして、鍵の画像を表示させるようにしてもよい。なお、この場合、携帯端末装置１は、ロックされている特定キー４が選択された後、暗証番号が入力されるとロックを解除してアイコンの表示を行う。また、携帯端末装置１は、アドレス帳の、特定キー４に対応する相手に画像も名前（登録名）も登録されていない場合、図５−２に示すように、アイコン５２ｅとして、「名前なし」の画像を表示させるようにしてもよい。このように、携帯端末装置１は、アドレス帳に登録されている情報や、ユーザによる設定に基づいて、種々の形態でアイコンを表示させることができる。また、アイコンとして画像や名前を表示させないようにすることで、個人情報を漏洩しないようにすることもできる。
【００４６】
また、携帯端末装置１は、特定キー４に対応付けられた画像が削除された場合は、図５−３に示すように、アイコン５２ｆとして、特定キー４に対応する相手の名前（対応付けられたアドレス情報の登録名）の画像を表示させるようにしてもよい。これにより、画像データが削除されたり、移動されたりした場合でも、相手を特定する情報を表示させ続けることができる。これにより、ユーザは、特定キー４とそれに対応付けられた相手との対応関係を間違えることなく、認識することができる。
【００４７】
また、図３では、待受画面５０にアイコン５２ａ、５２ｂ、５２ｃを重ねて表示させたが、携帯端末装置１はこれに限定されない。携帯端末装置１は、待受画面の上に、種々の画像を重ねることができる。以下、図６から図８を用いて説明する。ここで、図６は、表示部に表示させる画像の構成を示す説明図であり、図７は、携帯端末装置の動作を説明するための画面遷移図であり、図８は、携帯端末装置の表示部に表示される画面の一例を示す説明図である。
【００４８】
ここで、携帯端末装置１は、図６に示すように、待受画面とペア相手の画像（つまり、アイコン５２ａ、５２ｂ、５２ｃ）に加え、お知らせ表示の画像、メモ画像、時計の画像、カレンダーの画像、ニュースフラッシュの画像等を表示させることができる。また、携帯端末装置１は、待受画面つまり壁紙として、１枚の画像ではなく複数の画像で構成された待受アルバムを表示させてもよい。なお、待受アルバムについては、後ほど説明する。なお、お知らせ表示の画像とは、不在着信や、新着メールを通知する画面である。また、メモ画像とは、ユーザが入力したテキストメモ（いわゆる電子付箋）の画像である。また、ニュースフラッシュとは、通信回線を介して取得したニュース情報をフラッシュアニメーションで表示させる画像（動画）である。
【００４９】
また、携帯端末装置１は、複数の画像を重ねて表示させる場合は、夫々の画像をレイヤー（階層）として作成し、待受画面の上に複数のレイヤーを重ねることで、複数の画像を表示する画面を構成することが好ましい。また、複数のレイヤーを重ねる場合は、図６に示すように、レイヤーの積層関係を規定することが好ましい。具体的には、上位のレイヤーから下位のレイヤーの順で、お知らせ画像を表示させるお知らせ表示レイヤー７０、ペア相手の画像を表示させるペア相手表示レイヤー７２、メモ画像を表示させるメモレイヤー７３、時計、カレンダー、ニュースフラッシュの画像を表示させる。時計／カレンダー／ニュースフラッシュレイヤー７４、待受画面、待受アルバムを表示させる待受画面（壁紙表示）／待受アルバムレイヤー７５とする。
【００５０】
このように、複数のレイヤー（階層）の積層関係を規定することで、画像が重なった場合に優先する画像を規定することができる。また、より重要な画像を有するレイヤーを上位のレイヤーとすることで、必要な情報を適切に表示させることができる。なお、レイヤーの上位下位の規定は、図６に限定されないが、お知らせ表示レイヤー７０は、最上位のレイヤーとすることが好ましい。これにより、不在着信や、新着メールの情報をより確実に確認することができる。また、待受画面（壁紙表示）／待受アルバムレイヤー７５は、最下位のレイヤーとすることが好ましい。これにより、他のレイヤーの画像が壁紙によって隠れることを抑制できる。
【００５１】
また、携帯端末装置１は、各機能の画像をレイヤーに分けて作成することで、一部の画像が更新された場合でも、その画像を含むレイヤーのみを更新することで、待受画面を表示させることができる。これにより、待受画面の表示時の主制御部２２の負荷を少なくすることができる。
【００５２】
また、携帯端末装置１は、各機能の画像をレイヤーに分けて作成することで、各レイヤー毎に表示、非表示を切り替えることができる。例えば、携帯端末装置１は、図７の画面６２ａに示すように、待受画面５０に、アイコン５２ａ、５２ｂ、５２ｃと、お知らせ表示画像５４と、ニュースフラッシュ画像５６とを表示させている。携帯端末装置１は、画面６２ａを表示させている状態で、操作部２８の機能キー３ｄの終話キーが押下されたら、画面６２ｂに示すように、お知らせ表示画像５４を非表示にする。つまり、携帯端末装置１は、画面６２ｂとして、待受画面５０に、アイコン５２ａ、５２ｂ、５２ｃと、ニュースフラッシュ画像５６とを表示させる。携帯端末装置１は、画面６２ｂを表示させている状態で、操作部２８の機能キー３ｄの終話キーが押下されたら、画面６２ｃに示すように、アイコン５２ａ、５２ｂ、５２ｃを非表示にする。つまり、携帯端末装置１は、画面６２ｃとして、待受画面５０に、ニュースフラッシュ画像５６とを表示させる。さらに、携帯端末装置１は、画面６２ｃを表示させている状態で、操作部２８の機能キー３ｄの終話キーが押下されたら、画面６２ａを表示させる。
【００５３】
携帯端末装置１は、操作部２８の操作に基づいて、待受画面５０に重ねて表示させるレイヤーの表示／非表示を切り替えることで、ユーザが所望するレイヤーを表示させることができる。
【００５４】
また、レイヤーの画像の表示位置は、上記実施形態に限定されない。携帯端末装置１は、図８に示すように、画面６２ｄとして、待受画面５０上に、アイコン５２ａ、５２ｂ、５２ｃと、お知らせ表示画像５４と、ニュースフラッシュ画像５６と、を表示させる。ここで、画面６２ｄでは、アイコン５２ａ、５２ｂ、５２ｃを、待受画面５０の上側に重ねて表示させ、ニュースフラッシュ画像５６を、待受画面５０の下側に重ねて表示させている。このように、各レイヤーを構成する画像の待受画面５０上における位置は、種々の位置とすることができる。
【００５５】
また、各画像は、互いに重ならないように表示位置をずらすようにすることもできる。なお、表示位置は、ユーザが設定しても、主制御部２２が設定してもよい。例えば、時計の画像にアイコンが重ならないように、アイコンの表示位置を設定することもできる。また、待受画面の主要部に他のレイヤーの画像が重ならないように、表示位置を設定することもできる。また、メモ画像がアイコンに重ならないようにメモ画像の表示位置を設定することもできる。なお、表示位置を調整する場合は、下位のレイヤーの画像に重ならないように、上位のレイヤーの位置を設定すればよい。また、一部の画像は、重なることを許容する設定とすることもできる。
【００５６】
また、携帯端末装置１は、表示させるレイヤーの切り替え操作が入力されたら、１つのレイヤーを非表示にしつつ、１つのレイヤーを表示させるようにしてもよい。つまり表示させるレイヤーを切り替えるようにしても良い。例えば、アイコンを非表示にしつつ、メモ画像を表示させるようにしてもよい。
【００５７】
次に、図９を用いて、待受アルバムを表示させる場合について説明する。ここで、図９は、携帯端末装置の表示部に表示される画面の一例を示す説明図である。携帯端末装置１は、待受アルバムを表示させる場合、図９に示すように待受画面５０に、画像表示領域５１ａ、５１ｂ、５１ｃを設け、それぞれの画像表示領域５１ａ、５１ｂ、５１ｃに画像を表示させる。また、携帯端末装置１は、待受アルバムとして表示させる画像が複数設定されている場合は、待受画面の表示毎に、画像表示領域５１ａ、５１ｂ、５１ｃに表示させる画像を異なる画像とする。ここで、携帯端末装置１は、画像表示領域５１ａ、５１ｂ、５１ｃの表示切替時に、画像表示領域５１ｃに前回表示させていなかった画像を表示させ、画像表示領域５１ｂに画像表示領域５１ｃに表示させていた画像を表示させ、画像表示領域５１ａに、画像表示領域５１ｂに表示させていた画像を表示させるようにしてもよい。つまり、表示切替時に表示させる画像を１つずつ切り替えるようにしてもよい。これにより、アイコン５２ａ、５２ｂ、５２ｃと表示領域が重なる画像表示領域５１ｃの画像も次の待受画面の表示時に見やすい位置に表示させることができる。これにより、ペア相手の画像を表示させる場合も、待受アルバムの画像を好適に表示させることができる。なお、上記実施形態では、画像を１つずつずらしたが、ペア相手の画像に重なる表示領域に表示される画像を複数回表示させればよい。例えば、表示画像を２つずつずらすようにしてもよい。また、上記実施形態では、３つの画像を同時に表示させるようにしたが、待受アルバムとして表示させる画像の数は、特に限定されない。
【００５８】
次に、携帯端末装置１は、ペア相手として登録されている相手から、不在着信、未確認着信、新着メール、未確認メールがある場合は、アイコン上に表示させることが好ましい。以下、図１０から図１２を用いて説明する。ここで、図１０及び図１１は、それぞれ、携帯端末装置の動作を説明するための画面遷移図であり、図１２は、携帯端末装置の表示部に表示される画面の一例を示す説明図である。
【００５９】
携帯端末装置１は、ペア相手として登録されている相手、本実施形態では、「２」の特定キー４に対応付けて、登録されている相手からＥメールが送られてきたら、図１０の画面８０ａに示すように、新着Ｅメールが１件あることを示すお知らせ表示画像５４ａを表示させると共に、ペア相手の画像、ペア相手の周囲の枠５３ａと、ペア相手の画像に重なったメール画像５３ｂとで構成されるアイコン５２ｄを表示させる。なお、新着メール等が来ていないペア相手のアイコン５２ａ、５２ｃは、ペア相手の画像のみで構成されている。このように、アイコン５２ｄとして、ペア相手の画像にメールを受信したことを通知する画像を表示することで、つまり、画像の表示形態を異なる表示形態（通知があったことを示す表示形態）とすることで、ユーザは、ペア相手から何らかの通知があったことを迅速に知ることができる。
【００６０】
また、携帯端末装置１は、画面８０ａを表示させている状態で、「２」の特定キー４が押下されたら、ペア相手から送られてきた新着メールの内容の画面８０ｂを表示させる。このように、ペア相手からメール、着信等があった場合は、特定キー４を押下するのみで、ペア相手からの連絡が確認できるようにすることで、ユーザは、受信履歴や、着信履歴を確認しなくともペア相手からの情報を確認することができる。これにより、ユーザは、自身で設定した特定の相手から連絡が来たことを迅速に確認することができ、かつ、特定キーを押下するのみで、その内容も確認することができる。
【００６１】
ここで、携帯端末装置１は、一人のペア相手から複数の連絡があった場合に特定キーが押下されたら、選択画面を表示させてもよい。例えば、携帯端末装置１は、ペア相手として登録されている相手に対応付けて、登録されている相手からのＥメール受信と不在着信があった場合、図１１の画面８２ａに示すように、新着Ｅメールが１件、不在着信が１件あることを示すお知らせ表示画像５４ｂを表示させると共に、ペア相手の画像、ペア相手の周囲の枠５３ａと、ペア相手の画像に重なったメール画像５３ｂ及びペア相手の画像に重なった電話の画像５３ｃで構成されるアイコン５２ｄを表示させる。
【００６２】
また、携帯端末装置１は、画面８２ａを表示させている状態で、「２」の特定キー４が押下されたら、どちらの連絡を確認するかを選択させる画面８２ｂを表示させる。ここで、画面８２ｂは、不在着信を確認するか、受信メールを確認するかを選択する画面である。また、携帯端末装置１は、画面８２ｂを表示させている状態で、受信メールを確認する選択操作が入力されたら、ペア相手から送られてきた新着Ｅメールの内容の画面８２ｃを表示させる。なお、画面８２ｃは、上述した画面８０ｂと同様の画像である。
【００６３】
このように、連絡が複数あった場合は、確認する連絡を選択できるようにすることで、ユーザは、所望の連絡の内容を確認することができる。なお、不在着信の場合は、連絡があった時間を確認することでき、また、伝言の有無も確認することができる。なお、携帯端末装置１は、不在着信の内容や、メールの内容が確認されたら、上記アイコンの表示を元の表示に戻す。
【００６４】
なお、図１０及び図１１では、特定キー４が押下された、ペア相手からあった連絡を表示させるようにしたが、携帯端末装置１は、図１２の画面８４に示すように、ペア相手の情報の表示も選択できるようにしてもよい。また、携帯端末装置１は、ペア相手の情報が表示されている状態で、操作が入力されたら、そのペア相手に電話を掛けたり、そのペア相手を送信先としたメールの作成画面に移行したりすることができる。このように、携帯端末装置１は、ペア相手から連絡があった場合もペア相手の情報の表示を選択できるようにすることで、特定キー４の押下で、ペア相手に連絡を取ることが可能となる。
【００６５】
また、携帯端末装置１は、特定キー４が一定時間以上押下されたら、特定キー４に対応付けられた電話番号に発信するようにしてもよい。このように、長押下と発信動作を対応付けておくことで、ペア相手から連絡があった場合でも、その連絡内容を確認することなく、すぐに、かつ、簡単な動作で電話をかけることができる。
【産業上の利用可能性】
【００６６】
以上のように、本発明にかかる携帯端末装置は、特定の登録相手と特定の操作とを対応付けて登録することができる特定キーを有する携帯端末装置に用いることに有用である。
【符号の説明】
【００６７】
１  携帯端末装置
１Ｃ  筐体
１ＣＡ  第１筐体
１ＣＢ  第２筐体
２Ｍ  メインディスプレイ
３ａ  数字キー
３ｂ  方向キー
３ｃ  決定キー
３ｄ  機能キー
４  特定キー
５  マイク
６  レシーバ
１８  ヒンジ
２２  主制御部（ＣＰＵ）
２４  記憶部（メモリ）
２６  通信部
２８  操作部
２９  入力データ取得部
３０  音声処理部
３２  表示部
３３  表示制御部
３６  ブラウザ
３８  発光制御部
【図１】
2014195332.tif 000003
【図２】
2014195332.tif 000004
【図３】
2014195332.tif 000005
【図４】
2014195332.tif 000006
【図５−１】
2014195332.tif 000007
【図５−２】
2014195332.tif 000008
【図５−３】
2014195332.tif 000009
【図６】
2014195332.tif 000010
【図７】
2014195332.tif 000011
【図８】
2014195332.tif 000012
【図９】
2014195332.tif 000013
【図１０】
2014195332.tif 000014
【図１１】
2014195332.tif 000015
【図１２】
2014195332.tif 000016
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
通信部と、
待受画面を表示可能な表示部と、
表示部の周囲に配置された少なくとも１つの特定キーを有する操作部と、
前記特定キーに対して、アドレス情報を対応付けて登録する登録部と、
前記特定キーが操作されると、当該特定キーに対応するアドレス情報を用いて発信可能な状態とする制御部と、を備え、
前記制御部は、前記特定キーに前記アドレス情報が登録されると、前記待受画面における前記特定キーに対応する位置に、前記登録されたアドレス情報の少なくとも一部を表示させることを特徴とする携帯端末装置。
【請求項２】
前記制御部は、前記特定キーに前記アドレス情報として名前が登録されると、前記待受画面における前記特定キーに対応する位置に、前記登録された名前を表示させることを特徴とする請求項１に記載の携帯端末装置。
【請求項３】
少なくとも１つの特定キーを有する操作部と、
前記特定キーが操作されると、前記特定キーに対応付けられたアドレス帳の情報を用いて発信可能な状態とする制御部と、を備え、
前記制御部は、前記特定キーにアドレス帳の情報が対応づけられると、前記特定キーに対応する位置に、前記特定キーに対応づけられたアドレス帳の情報の少なくとも一部を表示させることを特徴とする携帯端末装置。
【請求項４】
携帯端末装置の制御方法において、
前記携帯端末装置が、特定キーにアドレス帳の情報が対応づけられると、当該特定キーに対応する位置に、当該特定キーに対応づけられたアドレス帳の情報の少なくとも一部を表示し、前記特定キーが操作されると、前記特定キーに対応付けられたアドレス帳の情報を用いて発信可能な状態とする、制御方法。
【請求項５】
携帯端末装置のプログラムにおいて、
前記携帯端末装置が、特定キーにアドレス帳の情報が対応づけられると、当該特定キーに対応する位置に、当該特定キーに対応づけられたアドレス帳の情報の少なくとも一部を表示し、前記特定キーが操作されると、前記特定キーに対応付けられたアドレス帳の情報を用いて発信可能な状態とする、プログラム。
【手続補正３】
【補正対象書類名】明細書
【補正対象項目名】０００１
【補正方法】変更
【補正の内容】
【０００１】
本発明は、登録相手を対応付けた特定キーを有する携帯端末装置、制御方法およびプログラムに関する。
【手続補正４】
【補正対象書類名】明細書
【補正対象項目名】０００５
【補正方法】変更
【補正の内容】
【０００５】
本発明は、上記に鑑みてなされたものであって、ユーザがより操作がしやすく使いやすい携帯端末装置、制御方法およびプログラムを提供することを目的とする。
【手続補正５】
【補正対象書類名】明細書
【補正対象項目名】０００６
【補正方法】変更
【補正の内容】
【０００６】
上述した課題を解決し、目的を達成するために、本発明は、携帯端末装置であって、通信部と、待受画面を表示可能な表示部と、表示部の周囲に配置された少なくとも１つの特定キーを有する操作部と、前記特定キーに対して、アドレス情報を対応付けて登録する登録部と、前記特定キーが操作されると、当該特定キーに対応するアドレス情報を用いて発信可能な状態とする制御部と、を備え、前記制御部は、前記特定キーに前記アドレス情報が登録されると、前記待受画面における前記特定キーに対応する位置に、前記登録されたアドレス情報の少なくとも一部を表示させることを特徴とする。
【手続補正６】
【補正対象書類名】明細書
【補正対象項目名】０００７
【補正方法】変更
【補正の内容】
【０００７】
ここで、前記制御部は、前記特定キーに前記アドレス情報として名前が登録されると、前記待受画面における前記特定キーに対応する位置に、前記登録された名前を表示させることが好ましい。
【手続補正７】
【補正対象書類名】明細書
【補正対象項目名】０００８
【補正方法】変更
【補正の内容】
【０００８】
上述した課題を解決し、目的を達成するために、本発明は、携帯端末装置であって、少なくとも１つの特定キーを有する操作部と、前記特定キーが操作されると、前記特定キーに対応付けられたアドレス帳の情報を用いて発信可能な状態とする制御部と、を備え、前記制御部は、前記特定キーにアドレス帳の情報が対応づけられると、前記特定キーに対応する位置に、前記特定キーに対応づけられたアドレス帳の情報の少なくとも一部を表示させることを特徴とする。
【手続補正８】
【補正対象書類名】明細書
【補正対象項目名】０００９
【補正方法】変更
【補正の内容】
【０００９】
上述した課題を解決し、目的を達成するために、本発明は、制御方法であって、携帯端末装置の制御方法において、前記携帯端末装置が、特定キーにアドレス帳の情報が対応づけられると、当該特定キーに対応する位置に、当該特定キーに対応づけられたアドレス帳の情報の少なくとも一部を表示し、前記特定キーが操作されると、前記特定キーに対応付けられたアドレス帳の情報を用いて発信可能な状態とする。
【手続補正９】
【補正対象書類名】明細書
【補正対象項目名】００１０
【補正方法】変更
【補正の内容】
【００１０】
上述した課題を解決し、目的を達成するために、本発明は、プログラムであって、携帯端末装置のプログラムにおいて、前記携帯端末装置が、特定キーにアドレス帳の情報が対応づけられると、当該特定キーに対応する位置に、当該特定キーに対応づけられたアドレス帳の情報の少なくとも一部を表示し、前記特定キーが操作されると、前記特定キーに対応付けられたアドレス帳の情報を用いて発信可能な状態とする。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
本発明にかかる携帯端末装置、制御方法およびプログラムは、ユーザがより操作しやすく、かつ使いやすくすることができるという効果を奏する。